(57)【要約】【課題】複数ページで構成されている原稿の画像データを電子メールに添付して送信する際に、当該複数ページの画像データを各ページ毎に分割して送信できるようにすることにより、当該原稿の画像データを受信した相手先において、整理や保存等を容易に行なうことができる通信装置を提供する。【解決手段】原稿の画像データを電子メールに添付して送信する通信装置１、或いは、受信した原稿の画像データを電子メールに添付して所定の相手先に転送する中継装置３に対して原稿の画像データを送信する通信装置１において、複数ページの原稿の画像データを各ページ毎に分割して中継装置３に送信する。また、複数ページの原稿の画像データを各ページ毎に分割して送信するか一括して送信するかを選択可能とする。【選択図】　　　図１
2004023501.tif 000002
【特許請求の範囲】
【請求項１】
原稿の画像データを電子メールに添付して送信する通信装置であって、複数ページの原稿の画像データを各ページ毎に分割して相手先に送信することを特徴とする通信装置。
【請求項２】
受信した原稿の画像データを電子メールに添付して所定の相手先に転送する中継装置に対して、原稿の画像データを送信する通信装置であって、複数ページの原稿の画像データを各ページ毎に分割して前記中継装置に送信することを特徴とする通信装置。
【請求項３】
複数ページの原稿の画像データを各ページ毎に分割して送信するか一括して送信するかを選択可能であることを特徴とする請求項１又は２記載の通信装置。
【発明の詳細な説明】
【０００１】
【発明の属する技術分野】
本発明は、コピー機能、ファクシミリ機能、プリンタ機能、及びスキャナ機能を有する複合機や、ファクシミリ装置等の通信装置に関し、特に、読み取り又は受信した原稿の画像データを電子メールに添付して送信することが可能な通信装置に関する。
【０００２】
【従来の技術】
従来の通信装置において、原稿読取部で読み取った原稿の画像データや、ファクシミリ受信した原稿の画像データを電子メールに添付して送信する場合には、原稿の画像データが複数ページで構成されている場合であっても、それらの全てのページを１個のファイルとして送信していた。すなわち、複数ページから構成される原稿の画像データであっても、電子メールに添付される際には１個のＴＩＦＦ（Ｔａｇｇｅｄ　Ｉｍａｇｅ　Ｆｉｌｅ　Ｆｏｒｍａｔ）ファイルに変換されて送信されていた。
【０００３】
【発明が解決しようとする課題】
しかしながら、このような従来の通信装置においては、複数ページから構成される原稿の画像データが必ず１個のファイルとして送信されることから、その原稿の画像データを受信した相手先において、原稿の画像データの各ページ中に不要なページが含まれていた場合であっても、その不要なページのみを削除することが困難であった。そのため、そのような原稿の画像データを受信した相手先において、受信した画像データの整理や保存等の際に非常に不便であるという問題があった。
【０００４】
本発明は、上記課題に鑑みてなされたものであり、原稿読取部で読み取った原稿の画像データや、ファクシミリ受信した原稿の画像データであって、複数ページで構成されているものを電子メールに添付して送信する際に、当該複数ページの原稿の画像データを各ページ毎に分割して送信できるようにすることにより、当該原稿の画像データを受信した相手先において、整理や保存等を容易に行なうことができる通信装置を提供することを技術課題とするものである。
【０００５】
【課題を解決するための手段】
上記技術課題を解決するための具体的手段は、次のようなものである。すなわち、請求項１に記載する通信装置は、原稿の画像データを電子メールに添付して送信する通信装置であって、複数ページの原稿の画像データを各ページ毎に分割して相手先に送信することを特徴とするものである。
【０００６】
請求項２に記載する通信装置は、受信した原稿の画像データを電子メールに添付して所定の相手先に転送する中継装置に対して、原稿の画像データを送信する通信装置であって、複数ページの原稿の画像データを各ページ毎に分割して前記中継装置に送信することを特徴とするものである。
【０００７】
請求項３に記載する通信装置は、請求項１又は２に記載する構成において、複数ページの原稿の画像データを各ページ毎に分割して送信するか一括して送信するかを選択可能であることを特徴とするものである。
【０００８】
【発明の実施の形態】
以下、本発明に係る通信装置１をコピー機能、ファクシミリ機能、プリンタ機能、及びスキャナ機能を有する複合機に適用した場合の実施の形態について図面に基づいて説明する。図１は、本発明の実施形態に係る通信装置１の電気的構成を示すブロック図である。また、図２は、本発明の実施形態に係る通信装置１から相手先装置２に原稿の画像データを送信する際の送信経路を示す図である。この図に示すように、本実施形態においては、この通信装置１は、原稿の画像データを電子メールに添付して相手先装置２に対して送信する際に、相手先装置２に対して電子メールで直接送信する方法と、原稿の画像データを一旦中継装置３に送信し、この中継装置３において原稿の画像データを電子メールに添付して相手先装置２に対して送信する方法のいずれかを選択可能であるものとする。以下、これらの図に基づいて、本実施形態に係る通信装置１の具体的構成について説明する。
【０００９】
網制御装置（ＮＣＵ）４は、通信装置１を公衆電話交換網（ＰＳＴＮ）５に接続するための接続制御を行なう装置であり、ファックスモデム６を用いてファクシミリ送受信を行なう際や、データモデム７を用いて公衆電話交換網（ＰＳＴＮ）５を介して電子メール送受信を行なう際等に動作するものである。ファックスモデム６は、ファクシミリ送受信を行なう際に原稿の画像データの変調及び復調を行なう装置である。データモデム７は、ダイヤルアップ接続により通信装置１をインターネット８に接続して電子メール送受信を行なう際に、原稿の画像データの変調及び復調を行なう装置である。
【００１０】
ＬＡＮインターフェース９は、通信装置１をＬＡＮ（Ｌｏｃａｌ　Ａｒｅａ　Ｎｅｔｗｏｒｋ）１０に接続するためのインターフェースである。そして、通信装置１は、このＬＡＮ１０、及びＬＡＮ１０に接続されたルータ１１を介してインターネット８に接続される。したがって、このＬＡＮインターフェース９を用いても電子メールの送受信を行なうことができる。また、このＬＡＮインターフェース９は、通信装置１をプリンタ又はスキャナとして用いる際に、通信装置１とパーソナルコンピュータ（ＰＣ）１２とを、ＬＡＮ１０を介して接続するためのインターフェースとしても用いられる。
【００１１】
原稿読取部１３は、コピー、スキャン又はファクシミリ送信等のために、原稿の画像を走査して画像データとして読み取るための部分であって、図示しないが、ＣＣＤ（Ｃｈａｒｇｅ　Ｃｏｕｐｌｅｄ　Ｄｅｖｉｃｅ）等のイメージセンサや光源等の光学系、フラットベッドスキャナ（ＦＢＳ：ＦｌａｔＢｅｄ　Ｓｃａｎｎｅｒ）や原稿自動供給装置（ＡＤＦ：Ａｕｔｏｍａｔｉｃ　Ｄｏｃｕｍｅｎｔ　Ｆｅｅｄｅｒ）等の原稿供給機構等を有して構成されている。なお、この原稿読取部１３の構成としては、コピー機、ファクシミリ装置、あるいはスキャナ等の分野において公知の各種機構を用いることが可能である。
【００１２】
記録部１４は、ファクシミリ受信した原稿の画像データや、電子メール受信した原稿の画像データや、コピー又はスキャンのために原稿読取部１３において読み取った原稿の画像データ等の内容を用紙へ記録するための部分である。この記録部１４における記録方式としては、例えば、電子写真方式、感熱記録方式、あるいはインクジェット記録方式等のこの分野で公知の各種の記録方式を用いることができる。そして、この記録部１４の具体的構成としては、前記のような各記録方式を実現するための公知の各種構成を用いることができる。
【００１３】
画像メモリ１５は、ファクシミリ受信した原稿の画像データや、電子メール受信した原稿の画像データや、ファクシミリ送信、コピー、又はスキャンのために原稿読取部１３において読み取った原稿の画像データ等を一時的に格納するためのメモリである。この画像メモリ１５においては、画像データは符号化された状態で格納されている。すなわち、ファクシミリ受信した画像データのように受信時に既に符号化された状態の画像データ以外は、コーデック（ＣＯＤＥＣ：Ｃｏｄｅｒ　ａｎｄ　Ｄｅｃｏｄｅｒ）１６により所定の方式で符号化されてから画像メモリ１５に格納される。
【００１４】
コーデック１６は、ファクシミリ送受信等のために画像データの符号化及び復号を行なう回路である。また、本実施形態においては、通信装置１は複合機であるので、コピー等の際に原稿読取部１３において読み取られた画像データも、画像メモリ１５に格納される際にコーデック１６により符号化される。ここで用いられる符号化の方式としては、例えば、ＭＭＲ（モディファイド・モディファイド・リード）方式、ＭＲ（モディファイド・リード）方式、あるいはＭＨ（モディファイド・ハフマン）方式等がある。
【００１５】
操作部１７は、使用者が通信装置１に対する動作指示や設定等の入力を行なうための部分であって、図示しないが、電子メール送信、ファクシミリ送信、コピー、スキャン等の処理の開始命令等の指示を入力するためのスタートキー、送信先の電子メールアドレスやダイヤル番号やコピー部数等を入力するためのテンキー、あるいは設定操作を行なうためのファンクションキー等の各種操作キーを有して構成されている。表示部１８は、通信装置１の動作状態や設定状態等を表示するための部分であって、図示しないが、液晶表示画面やＬＥＤランプ等の表示装置を有して構成されている。
【００１６】
ＭＰＵ（Ｍｉｃｒｏｐｒｏｃｅｓｓｉｎｇ　Ｕｎｉｔ）１９は、バス２０を介して通信装置１を構成する各部と接続されており、これらの各部の動作制御を行なう演算処理回路である。ＲＡＭ（Ｒａｎｄｏｍ　Ａｃｃｅｓｓ　Ｍｅｍｏｒｙ）２１は、ＭＰＵ１９による通信装置１の動作処理の実行に伴って取得された各種データや設定情報等を格納するメモリである。このＲＡＭ２１に格納される情報としては、ここでは、中継設定２２と、中継装置ダイヤル番号２３と、分割設定２４とが含まれる。
【００１７】
ここで、中継設定２２とは、通信装置１が原稿の画像データを電子メールに添付して相手先装置２に対して送信する際に、相手先装置２に対して電子メールで直接送信する直接送信処理を行なうか、或いは、受信した原稿の画像データを電子メールに添付して所定の相手先装置２に転送する中継装置３に対して、原稿の画像データを送信する中継送信処理を行なうかについての設定情報である。この中継設定２２は、通信装置１の使用者が予めいずれかを設定し、或いは、原稿の画像データの送信時に使用者が選択することが可能である。なお、本実施形態においては、図２に示すように、通信装置１から中継装置３への原稿の画像データの送信は、公衆電話交換網（ＰＳＴＮ）５を介してファクシミリ送信により行うこととする。ただし、この通信装置１から中継装置３への送信の方法は、これに限定されるものではなく、ＬＡＮによる通信等、データ通信を行なうことができる方法であれば、他の送信方法も用いることが可能である。
【００１８】
そして、中継装置ダイヤル番号２３とは、中継設定２２に従って、中継送信処理を行なう場合に、通信装置１から中継装置３に原稿の画像データをファクシミリ送信するための中継装置３のダイヤル番号である。この中継装置ダイヤル番号２３は、通信装置１の使用者が１又は２以上のダイヤル番号を予め設定しておき、或いは、原稿の画像データの送信時に使用者が入力することが可能である。
【００１９】
また、分割設定２４とは、通信装置１が原稿の画像データを電子メールに添付して相手先装置２に対して送信する際に、複数ページの原稿の画像データを各ページ毎に分割して送信する分割送信処理を行なうか、或いは、一括して送信する一括送信処理を行なうかについての設定情報である。この分割設定２４は、通信装置１の使用者が予めいずれかを設定し、或いは、原稿の画像データの送信時に使用者が選択することが可能である。
【００２０】
ＲＯＭ２５は、ＭＰＵ１９の動作処理に必要な各種の動作プログラム等を格納するメモリである。このＲＯＭ２５に格納される動作プログラムとしては、ここでは、中継送信プログラム２６と、直接送信プログラム２７とが含まれる。ここで、中継送信プログラム２６とは、中継設定２２が中継送信処理を行なう設定である場合に、中継装置３に対して原稿の画像データをファクシミリ送信する処理をＭＰＵ１９に実行させるためのプログラムである。また、直接送信プログラム２７とは、中継設定２２が直接送信処理を行なう設定である場合に、相手先装置２に対して原稿の画像データを電子メールに添付して直接送信する処理をＭＰＵ１９に実行させるためのプログラムである。なお、これらの中継送信プログラム２６及び直接送信プログラム２７に基づいて動作する通信装置１の動作処理については、後にフローチャートを用いて詳細に説明する。
【００２１】
中継装置３は、通信装置１から受信した原稿の画像データを電子メールに添付して相手先装置２に対して送信する装置である。ここでは、図２に示すように、通信装置１から中継装置３への原稿の画像データの送信は、ファクシミリ送信により行うこととしているため、通信装置１と中継装置３とは、公衆電話交換網（ＰＳＴＮ）５を介して接続されている。この中継装置３の具体的構成としては、図示しないが、通信装置１と同様に、公衆電話交換網（ＰＳＴＮ）５に接続してファクシミリ受信を行なうための通信機構と、インターネットに接続して電子メール送信を行なうための通信機構の２通りの通信機構を備え、通信装置１から受信した原稿の画像データを電子メールの添付ファイルに変換して、通信装置１から指定された相手先装置２に電子メール送信を行なう処理を実行することが可能な制御機構を備えたものとする。このような中継装置３としては、例えば、ファクシミリ送受信機能を備えた電子メールサーバ等が該当する。
【００２２】
次に、本発明の実施形態に係る通信装置１において、原稿の画像データを電子メールに添付して相手先装置２に対して送信する際の動作処理について、図３及び図４に示すフローチャートに基づいて説明する。なお、これらの図において、丸で囲まれた「Ａ」の記号は、それぞれの図における同じ記号と連続するものとする。また、このフローチャートに示す通信装置１の各部の動作は、ＲＯＭ２５に格納されている中継送信プログラム２６、及び直接送信プログラム２７を含む各動作プログラムに従って動作するＭＰＵ１９の制御の下に行なわれる。
【００２３】
まず、通信装置１は、原稿の画像データを電子メールに添付して送信する処理の開始の指示があったか否かについて判断する（Ｓ１）。この判断は、操作部１７のテンキー等の操作により電子メールを送信する相手先装置２の電子メールアドレスが入力され、電子メール送信の開始の指示を出すためのスタートキー等が操作されたか否かにより行なう。原稿の画像データを電子メールに添付して送信する処理の開始の指示がない場合には（Ｓ１：ＮＯ）、そのまま待機する。一方、原稿の画像データを電子メールに添付して送信する処理の開始の指示があった場合には（Ｓ１：ＹＥＳ）、次に、中継設定２２が、直接送信処理を行なう設定と、中継送信処理を行なう設定のいずれに設定されているかについて判断する（Ｓ２）。
【００２４】
そして、中継設定２２が、中継送信処理を行なう設定である場合には（Ｓ２：中継）、次に、分割設定２４が、分割送信処理を行なう設定と、一括送信処理を行なう設定のいずれに設定されているかについて判断する（Ｓ３）。この分割設定２４が、分割送信処理を行なう設定である場合には（Ｓ３：分割）、公衆電話交換網（ＰＳＴＮ）５に回線を接続し、中継装置３にダイヤルする（Ｓ４）。ここで、中継装置３に対してダイヤルを行なう処理は、ＲＡＭ２１に格納された中継装置ダイヤル番号２３に従って行なう。その後、送信原稿の１ページ分の画像データを画像メモリ１５から読み出して、圧縮符号化処理を行なう（Ｓ５）。ここで、画像メモリ１５から読み出される送信原稿の画像データとしては、原稿読取部１３において読み取られ、或いは、ファクシミリ受信して画像メモリ１５に格納された原稿の画像データであって、操作部１７の操作等により指定された原稿の画像データが該当する。また、画像データの圧縮符号化処理の形式としては、一般的なファクシミリ送信の場合と同様に、ＭＭＲ（モディファイド・モディファイド・リード）方式、ＭＲ（モディファイド・リード）方式、あるいはＭＨ（モディファイド・ハフマン）方式等の形式が該当する。
【００２５】
そして、圧縮符号化処理を行なった後の送信原稿の１ページ分の画像データを中継装置３にファクシミリ送信する（Ｓ６）。この際、この送信原稿を添付した電子メール送信を行なう相手先装置２の電子メールアドレスは、ファクシミリ送信のための伝送制御信号に含めて中継装置３に送信する。具体的には、相手先装置２の電子メールアドレスは、伝送制御信号の中の非標準機能設定信号（ＮＳＳ：Ｎｏｎ−Ｓｔａｎｄａｒｄ　ｆａｃｉｌｉｔｉｅｓ　Ｓｅｔ−ｕｐ）に含めるようにすると好適である。また、この相手先装置２の電子メールアドレスは、処理Ｓ１において操作部１７から入力されたものを用いることとする。
【００２６】
その後、当該送信原稿の１ページ分の画像データのファクシミリ送信が終了したか否かについて判断する（Ｓ７）。送信原稿の１ページ分の画像データのファクシミリ送信が終了していない場合には（Ｓ７：ＮＯ）、継続してファクシミリ送信を行なう（Ｓ６）。そして、送信原稿の１ページ分の画像データのファクシミリ送信が終了した場合には（Ｓ７：ＹＥＳ）、回線を切断する（Ｓ８）。次に、送信原稿の全てのページのファクシミリ送信が終了したか否かについて判断する（Ｓ９）。送信原稿の全てのページのファクシミリ送信が終了していない場合には（Ｓ９：ＮＯ）、当該送信原稿に次のページが存在すると判断されるので、処理はＳ４へ戻り、更に次のページについてのファクシミリ送信が行われる。そして、送信原稿の全てのページのファクシミリ送信が終了した場合には（Ｓ９：ＹＥＳ）、処理は終了する。このように、送信原稿の１ページ分の画像データ毎に読み出して圧縮符号化し、送信する処理を行なうことにより、複数ページの原稿の画像データを各ページ毎に分割して中継装置３に送信することとなる。
【００２７】
一方、処理Ｓ３において、分割設定２４が、一括送信処理を行なう設定である場合には（Ｓ３：一括）、公衆電話交換網（ＰＳＴＮ）５に回線を接続し、中継装置３にダイヤルする（Ｓ１０）。ここで、中継装置３に対してダイヤルを行なう処理は、ＲＡＭ２１に格納された中継装置ダイヤル番号２３に従って行なう。その後、送信原稿の全ページ分の画像データを一括して画像メモリ１５から読み出して、圧縮符号化処理を行なう（Ｓ１１）。ここで、画像メモリ１５から読み出される送信原稿の画像データとしては、原稿読取部１３において読み取られ、或いは、ファクシミリ受信して画像メモリ１５に格納された原稿の画像データであって、操作部１７の操作等により指定された原稿の画像データが該当する。また、画像データの圧縮符号化処理の形式としては、一般的なファクシミリ送信の場合と同様に、ＭＭＲ（モディファイド・モディファイド・リード）方式、ＭＲ（モディファイド・リード）方式、あるいはＭＨ（モディファイド・ハフマン）方式等の形式が該当する。
【００２８】
そして、圧縮符号化処理を行なった後の送信原稿の全ページ分の画像データを中継装置３にファクシミリ送信する（Ｓ１２）。この際、電子メール送信を行なう相手先装置２の電子メールアドレスは、ファクシミリ送信のための伝送制御信号に含めて中継装置３に送信する。具体的には、相手先装置２の電子メールアドレスは、伝送制御信号の中の非標準機能設定信号（ＮＳＳ：Ｎｏｎ−Ｓｔａｎｄａｒｄ　ｆａｃｉｌｉｔｉｅｓ　Ｓｅｔ−ｕｐ）に含めるようにすると好適である。また、この相手先装置２の電子メールアドレスは、処理Ｓ１において操作部１７から入力されたものを用いることとする。
【００２９】
その後、当該送信原稿の全ページ分の画像データのファクシミリ送信が終了したか否かについて判断する（Ｓ１３）。送信原稿の全ページ分の画像データのファクシミリ送信が終了していない場合には（Ｓ１３：ＮＯ）、継続してファクシミリ送信を行なう（Ｓ１２）。そして、送信原稿の全ページ分の画像データのファクシミリ送信が終了した場合には（Ｓ１３：ＹＥＳ）、回線を切断し（Ｓ１４）、処理は終了する。
【００３０】
以上のようにして、通信装置１からファクシミリ送信された原稿の画像データを受信した中継装置３においては、当該受信した原稿の画像データを電子メールに添付して相手先装置２に送信する処理が行なわれる。この際、通信装置１から、送信原稿の画像データが分割されて、１ページ分の画像データ毎にファクシミリ送信されてきた場合には（Ｓ４〜Ｓ９）、当該１ページ分の画像データ毎に電子メールに添付して相手先装置２に送信する処理が行なわれる。一方、通信装置１から、送信原稿の画像データの全ページ分が一括してファクシミリ送信されてきた場合には（Ｓ１０〜Ｓ１４）、当該全ページ分の画像データを一括して電子メールに添付して相手先装置２に送信する処理が行なわれる。これにより、通信装置１の分割設定２４が、分割送信処理を行なう設定である場合には、複数ページの原稿の画像データを各ページ毎に分割して相手先装置２に送信することとなる。
【００３１】
一方、処理Ｓ２において、中継設定２２が、直接送信処理を行なう設定である場合には（Ｓ２：直接）、次に、分割設定２４が、分割送信処理を行なう設定と、一括送信処理を行なう設定のいずれに設定されているかについて判断する（Ｓ１５）。この分割設定２４が、分割送信処理を行なう設定である場合には（Ｓ１５：分割）、送信原稿の１ページ分の画像データを画像メモリ１５から読み出して、圧縮符号化処理を行なう（Ｓ１６）。ここで、画像メモリ１５から読み出される送信原稿の画像データとしては、原稿読取部１３において読み取られ、或いは、ファクシミリ受信して画像メモリ１５に格納された原稿の画像データであって、操作部１７の操作等により指定された原稿の画像データが該当する。また、画像データの圧縮符号化処理の形式としては、一般的な電子メール送信の場合と同様に、ＴＩＦＦ形式等が該当する。
【００３２】
次に、送信原稿の全てのページについての読み出し及び圧縮符号化処理が終了したか否かについて判断する（Ｓ１７）。送信原稿の全てのページについての読み出し及び圧縮符号化処理が終了していない場合には（Ｓ１７：ＮＯ）、当該送信原稿に次のページが存在すると判断されるので、処理はＳ１６へ戻り、更に次のページについての読み出し及び圧縮符号化処理が行われる。そして、送信原稿の全てのページについての読み出し及び圧縮符号化処理が終了した場合には（Ｓ１７：ＹＥＳ）、圧縮符号化処理を行なった後の送信原稿の各ページの画像データを電子メールに添付して相手先装置２に送信する（Ｓ１８）。そして、処理は終了する。このように、送信原稿の１ページ分の画像データ毎に読み出して圧縮符号化する処理を行なうことにより、複数ページの原稿の画像データを各ページ毎に分割して相手先装置２に送信することとなる。
【００３３】
一方、処理Ｓ１５において、分割設定２４が、一括送信処理を行なう設定である場合には（Ｓ１５：一括）、送信原稿の全ページ分の画像データを一括して画像メモリ１５から読み出して、圧縮符号化処理を行なう（Ｓ１９）。ここで、画像メモリ１５から読み出される送信原稿の画像データとしては、原稿読取部１３において読み取られ、或いは、ファクシミリ受信して画像メモリ１５に格納された原稿の画像データであって、操作部１７の操作等により指定された原稿の画像データが該当する。また、画像データの圧縮符号化処理の形式としては、一般的な電子メール送信の場合と同様に、ＴＩＦＦ形式等が該当する。その後、圧縮符号化処理を行なった後の送信原稿の全ページの画像データを一括して電子メールに添付して相手先装置２に送信し（Ｓ１８）、処理は終了する。
【００３４】
【発明の効果】
以上説明したように、本発明の請求項１に係る通信装置によれば、原稿の画像データを電子メールに添付して送信する場合に、複数ページの原稿の画像データを各ページ毎に分割して相手先に送信することにより、当該原稿の画像データを受信した相手先において、受信した原稿の中の特定のページの削除や編集等を容易に行なうことが可能となるので、受信した相手先における整理や保存のための便利さを高めることができる。
【００３５】
本発明の請求項２に係る通信装置によれば、受信した原稿の画像データを電子メールに添付して所定の相手先に転送する中継装置に対して、原稿の画像データを送信する場合に、複数ページの原稿の画像データを各ページ毎に分割して前記中継装置に送信することにより、前記中継装置においては、複数ページの原稿の画像データを各ページ毎に電子メールに添付して相手先に送信する処理が行なわれるので、当該原稿の画像データを受信した相手先において、受信した原稿の中の特定のページの削除や編集等を容易に行なうことが可能となり、受信した相手先における整理や保存のための便利さを高めることができる。
【００３６】
本発明の請求項３に係る通信装置によれば、上述の効果に加えて、複数ページの原稿の画像データを各ページ毎に分割して送信するか一括して送信するかを選択可能であることにより、使用者は、原稿の画像データを送信する相手先により、或いは、送信する原稿の内容により、分割して送信するか一括して送信するかいずれか適当な方を選択して送信することが可能となる。
【図面の簡単な説明】
【図１】本発明の実施形態に係る通信装置の電気的構成を示すブロック図である。
【図２】本発明の実施形態に係る通信装置から相手先装置に原稿の画像データを送信する際の送信経路を示す図である。
【図３】本発明の実施形態に係る通信装置において、原稿の画像データを電子メールに添付して相手先装置に対して送信する際の動作処理を示すフローチャートの前半部分である。
【図４】本発明の実施形態に係る通信装置において、原稿の画像データを電子メールに添付して相手先装置に対して送信する際の動作処理を示すフローチャートの後半部分である。
【符号の説明】
１　通信装置
２　相手先装置
３　中継装置
５　公衆電話交換網（ＰＳＴＮ）
８　インターネット
１９　ＭＰＵ
２１　ＲＡＭ
２２　中継設定
２３　中継装置ダイヤル番号
２４　分割設定
２５　ＲＯＭ
２６　中継送信プログラム
２７　直接送信プログラム
【図１】
2004023501.tif 000003
【図２】
2004023501.tif 000004
【図３】
2004023501.tif 000005
【図４】
2004023501.tif 000006